(57)【特許請求の範囲】
【請求項１】
襦袢の衿本体の表裏面に長手方向に２つ折りした内衿カバーを重ねる襦袢の衿構造であって、前記内衿カバーには衿本体の表裏両面それぞれに側縁に沿って複数の第１接合部材を線上位置に配列するとともに、前記衿本体の表裏面には第１接合部材に着脱自在な第２接合部材をそれぞれ線上位置に配列された取付け帯材を設け、さらに上記内衿カバーの片面に取付けられる第１接合部材の配列は、該内衿カバーを裏返して使用するとき、他面の第１接合部材に結合する第２接合部材の配列と合致するように構成されてなる襦袢の衿構造において、
前記取付け帯材には複数の第３接合部材が線上位置に配列されると共に、内衿カバーの外側に設けられる外衿カバーの少なくとも片面には片側側縁に沿って、上記第３接合部材に着脱自在な第４接合部材が配列されていることを特徴とする襦袢の衿構造。
【請求項２】
襦袢の衿本体の表裏面に長手方向に２つ折りした内衿カバーを重ねる襦袢の衿構造であって、前記内衿カバーには衿本体の表裏両面それぞれに側縁に沿って複数の第１接合部材を線上位置に配列するとともに、前記衿本体の表裏面には第１接合部材に着脱自在な第２接合部材をそれぞれ線上位置に配列された取付け帯材を設け、さらに上記内衿カバーの片面に取付けられる第１接合部材の配列は、該内衿カバーを裏返して使用するとき、他面の第１接合部材に結合する第２接合部材の配列と合致するように構成されてなる襦袢の衿構造において、
前記衿本体の表面側には複数の第３接合部材が線上位置に配列され、内衿カバーの外側に設けられる外衿カバーは長手方向に沿って２つ折りして使用する幅に形成され、該外衿カバーの表裏両面には側縁に沿って第４接合部材がそれぞれ線上位置に配列され、該外衿カバーの表裏面のいずれかを表側にしたとき、その第４接合部材は上記第３接合部材と着脱自在に取付けられるようにしてあることを特徴とする襦袢の衿構造。
【請求項３】
第１接合部材と第２接合部材との組み合わせ、および第３接合部材と第４接合部材との組み合わせは、ボタンとボタンホールの組合せであり、また第２接合部材はテープ状の取付け帯材に設けられ、表裏で対をなす取付け帯材はそれぞれ一方側縁が衿本体側に縫着され、さらに衿本体の表側に取付けられる取付け帯材には第３接合部材と第２接合部材とが重複しない位置に配設されている請求項１または２に記載の襦袢の衿構造。
【請求項４】
衿本体の表裏両面に取付けられる一対の取付け帯材は一枚の布によって連続され、この布があらかじめ衿本体に縫着されている請求項３に記載の襦袢の衿構造。
【発明の詳細な説明】
【０００１】
【発明の属する技術分野】
本発明は和服を着用するときに使用される襦袢に関し、詳細にはこの襦袢における衿構造の改良に関するものである。
【０００２】
【従来の技術】
和服を着用するに当たっては、下着として襦袢が使用される。図８は従来例の襦袢Ｊの正面図、図９はその衿部分の一部破断説明図である。この襦袢Ｊにおいては左右には袖２、２が取付けられ、見頃１の前側は自由に開閉できるように開放され、その上部には衿本体Ｅが縫着される。この衿本体Ｅは、着物を上に着用したとき、その側縁部が着物の衿より若干の幅を残して表側へ露出するようにしてある。
【０００３】
図９に示すように衿本体Ｅの表裏面を覆うように、長手方向に２つ折りした内衿カバー３を取り付け、衿本体Ｅに直接汚れが付着するのを防止すると共に、着物の色や柄に合わせて内衿カバーの色や柄を選択して使用できるように構成してある。すなわち、衿本体Ｅと内衿カバー３は糸を用いて縫着線８によってその両側縁を衿本体Ｅの表裏面へ取付けまたは取り外し自在に構成し、縫製作業によって内衿カバー３の付け替えを行う。
【０００４】
半襟と称される外衿カバー４を前記内衿カバー３の表側に重ね合わせるように取り付けるため、この外衿カバー４の片側側縁を縫着線８に沿って衿本体Ｅの根元部分に縫い付けることもある。この外衿カバー４の幅Ｗ２は２つ折りした内衿カバー３の幅Ｗ１より細く形成され、着物の衿の下に外衿カバー４と内衿カバー３の両方の側縁が表に露出するようにする。この外衿カバー４も好みの色や柄のものが選択して使用できるように糸による縫い付けで取付けまたは取り外し自在に構成される。
【０００５】
【発明が解決しようとする課題】
ところで、上記内衿カバー３や外衿カバー４は、衿本体Ｅに対して糸で縫い付けているので、これらを交換するに当たっては手作業による取り外しと縫い付けが必要であり、時間を要すると共に大変煩わしい作業を強いられることになっていた。したがって着用する着物の色や柄に合わせて、気軽に内衿カバーや外衿カバーを取り替えるのを断念しなければならず、無難な無地や白色のものをずっと使用することになり、これらカバーの選択の余地は現実には非常に少ないものとなっていた。
【０００６】
そこで、本発明の主たる目的は、種々の色や柄の内衿カバーが使えるように、少なくとも内衿カバーが襦袢の衿本体に簡単に取付けまたは取り外しができる衿構造を提供することにある。
また他の目的として、外衿カバーも上記内衿カバーと同様に、衿本体または内衿カバーに対して簡単に取付けまたは取り外しできる衿構造を提供することにある。
【０００７】
【課題を解決するための手段】
上記目的を達成するため、本発明の請求項１の襦袢の衿構造は、襦袢の衿本体の表裏面に長手方向に２つ折りした内衿カバーを重ねる襦袢の衿構造であって、前記内衿カバーには衿本体の表裏両面それぞれに側縁に沿って複数の第１接合部材を線上位置に配列するとともに、前記衿本体の表裏面には第１接合部材に着脱自在な第２接合部材をそれぞれ線上位置に配列された取付け帯材を設け、さらに上記内衿カバーの片面に取付けられる第１接合部材の配列は、該内衿カバーを裏返して使用するとき、他面の第１接合部材に結合する第２接合部材の配列と合致するように構成されてなる襦袢の衿構造において、前記取付け帯材には複数の第３接合部材が線上位置に配列されると共に、内衿カバーの外側に設けられる外衿カバーの少なくとも片面には片側側縁に沿って、上記第３接合部材に着脱自在な第４接合部材が配列されていることを特徴とする。なお、第１接合部材と第２接合部材との組合せは、簡単に着脱できるボタンとボタンホールの組合せ、ホックとホック受けの組合せ、機械式面ファスナ（商標名マジックテープ）のフック部材とループ部材の組合せのいずれでも良い（配設形態は問わず、例えば第１接合部材にボタンまたはボタンホールのいずれを採用しても良い）。なお厚さ方向に嵩張らず且つ作成を容易に行うため、ボタンとボタンホールの組合せを採用することが好ましい。
【０００８】
内衿カバーの表裏両面のいずれかを選択的に衿へ露出させるためには、内衿カバーの表裏両面のいずれにも第１接合部材を設ければ良い。すなわち衿本体の表裏面に設ける第２接合部材の配列に合わせ、内衿カバー表裏両面に第１接合部材を設ける。ただし第１接合部材の配設数を少なくするため、内衿カバーの片面の片側側縁に沿って第１接合部材を設け、且つ内衿カバーの他面の他側側縁に上記片面と同位置に第１接合部材を配設すれば良く、この構成により内衿カバーを裏返して使用するとき、裏返す前に使用した第１接合部材を兼用できる（ただし衿本体側に固定的に設けられた第２接合部材に取付けられる第１接合部材は表裏で逆になる）。
【０００９】
内衿カバーを長さ方向に２等分して左右に分けて、左右対称に第１接合部材を配設すると（当然第２接合部材も中央から左右対称に配設される）、内衿カバーを裏返したとき、左右を逆にしても取付けることができる。
【００１０】
また、図４〜図６に示す如く、衿本体の根元部には第３接合部材を線上位置に配設し、且つ少なくとも外衿カバーの片面にも片側側縁に沿って第４接合部材を線上位置に配設
する。そして第３接合部材と第４接合部材を上記の如くボタンとボタンホールの組合せなどの着脱自在構造を用いれば、外衿カバーは衿本体に対して簡単に取付けまたは取り外しが行える。この外衿カバーは片面を表側に露出するもの、あるいは表裏両面のいずれかを表側に露出するもの（このとき第４接合部材は外衿カバーの表裏両面に配列する）のいずれでもよい。
【００１１】
請求項２の襦袢の衿構造は、襦袢の衿本体の表裏面に長手方向に２つ折りした内衿カバーを重ねる襦袢の衿構造であって、前記内衿カバーには衿本体の表裏両面それぞれに側縁に沿って複数の第１接合部材を線上位置に配列するとともに、前記衿本体の表裏面には第１接合部材に着脱自在な第２接合部材をそれぞれ線上位置に配列された取付け帯材を設け、さらに上記内衿カバーの片面に取付けられる第１接合部材の配列は、該内衿カバーを裏返して使用するとき、他面の第１接合部材に結合する第２接合部材の配列と合致するように構成されてなる襦袢の衿構造において、前記衿本体の表面側には複数の第３接合部材が線上位置に配列され、内衿カバーの外側に設けられる外衿カバーは長手方向に沿って２つ折りして使用する幅に形成され、該外衿カバーの表裏両面には側縁に沿って第４接合部材がそれぞれ線上位置に配列され、該外衿カバーの表裏面のいずれかを表側にしたとき、その第４接合部材は上記第３接合部材と着脱自在に取付けられるようにしてあることを特徴とする。この場合の外衿カバーの表裏両面のいずれかを選択的に表側に露出するものであり、外衿カバーの表裏面のいずれにも第４接合部材が配設され、これらの着脱に当たっては取付け帯材に配列した第３接合部材を兼用して用いる。この外衿カバーは取付け状態において、片側側縁が自由端として衿本体側へは止着されず、したがってこの自由端側の側縁は長手方向に沿って２つ折り（内側または外側）して内衿カバーの一部が首回りに沿って露出すると共に、この外衿カバーの一部も同様に内衿カバーと着物の衿の間で露出することになる。
【００１２】
また、外衿カバーの片面で一方側縁に沿って配列される第４接合部材は、他面の一方側縁に沿って配列されるもの、或いは他面の他方側縁に沿って配設されるものいずれであっても良く、さらに第４接合部材が一方側縁の沿うように表裏面で重複して設けられていれば、他方側縁は障害物（第４接合部材のこと）がなく自由端として２つ折りし易く好ましい。このとき長手方向に沿って左右半分に分け、これを中心にして左右対称に第４接合部材を配設すれば第３接合部材を兼用するのに支障を生じることはない。
【００１３】
請求項３の襦袢の衿構造は、第１接合部材と第２接合部材との組み合わせ、および第３接合部材と第４接合部材との組み合わせは、ボタンとボタンホールの組合せであり、また第２接合部材はテープ状の取付け帯材に設けられ、表裏で対をなす取付け帯材はそれぞれ一方側縁が衿本体側に縫着され、さらに衿本体の表側に取付けられる取付け帯材には第３接合部材と第２接合部材とが重複しない位置に配設されている。すなわち、第１接合部材と第２接合部材の組合せ、および第３接合部材と第４接合部材の組合せは、ボタンとボタンホールの組合せを採用することが、経済性および作成の安易性から好ましい。ただし、第１接合部材と第２接合部材のいずれをボタンにして他方をボタンホールにするかに選択は自由であり、第３接合部材と第４接合部材の組合せにおいてもこれらの選択は自由である。下述するように第２接合部材と第３接合部材を１つの取付け帯材で兼用する場合には、これらは、ボタンホールを採用することが、作成上好ましい。
【００１４】
また、第２接合部材または第３接合部材はテープ状の取付け帯材に列状に予め配設しておき、これを衿本体の根元部に縫着することが好ましく、これによって第２接合部材および第３接合部材は予め設定された位置に正確に固定され、それぞれに着脱自在に接合する第１接合部材と第４接合部材の配設位置と正確に合致させることができる。これらの取付け帯材は衿本体の根元部に取付けられていれば、その取付け手段は接着材による接着であろうと、糸による縫着であろうとも構わないが、第１接合部材と第４接合部材にボタンを使用したとき、これに組み合わされるボタンホールは一方側縁が縫着され、少なくとも他方側縁が開放された自由端としてボタンが自由に出し入れできる構成であることが好ましい。
【００１５】
請求項４の襦袢の衿構造は、衿本体の表裏両面に取付けられる一対の取付け帯材は一枚の布によって連続され、この布があらかじめ衿本体に縫着されているものである。これによれば、対をなす取付け帯材（一方の取付け帯材には第２接合部材と第３接合部材とを重複しない位置に配列している）は予め少なくとも１枚の布に連続させておき、この布を衿本体の表裏面を覆うように取付け（縫着または接着）ておけば、この布を取り付けた襦袢と第１接合部材（第４接合部材）を取り付けた内衿カバー（および外衿カバー）をセットで販売することが可能となる。
【００１６】
【発明の実施の形態】
本発明の第１の実施例を図１〜図３に基づいて以下に説明する。図１は構成部品たる内衿カバー及び取付け帯材を展開した組み付け前の平面図、図２は図１の構成部品を衿本体に組み付けて展開した状態の平面図、図３は内衿カバー及び取付け帯材を襦袢の衿本体に取付けた状態の一部破断正面図である。
【００１７】
図１に示すように襦袢の衿本体に取り付ける部材は、一対の取付け帯材７、７０と内衿カバー５によって構成されている。取付け帯材７、７０は襦袢Ｊの衿本体Ｅの長手方向に沿うようにテープ状に形成される。また内衿カバー５は帯形状でその中央部は凹んで襦袢Ｊの衿本体Ｅの形状（首回りの後ろ部分の幅が狭くなっている）に合致するように形成される。この内衿カバー５の表面（以下にはＡ面で示す）には片側側縁に沿って複数（この例では７個）の第１接合部材５ａたるボタンが取付けられていると共に、裏面（以下にはＢ面で示す）には他側側縁に沿って第１接合部材５ｂたるボタンが複数（上例と同数）取付けられている。
【００１８】
第１接合部材たるボタン５ａ、５ｂ群の配列は、長手方向に沿う２つ折り中央線Ｏを境にして線対称位置に列設されており、これによってＡ面を表にする取付けとＢ面を表にする取付けにおいてボタン５ａ、５ｂが共に兼用される。またこれらボタン５ａ、５ｂは左右を半分に分ける中央線Ｃ１を境にして（図においては上下方向）左右対称に配列されており、Ａ面、Ｂ面を替えるとき左右を逆にしても取付けられるように構成される。
【００１９】
取付け帯材７、７０には、ボタン５ａ、５ｂを着脱自在に取付ける第２接合部材６ａ、６ｂたるボタンホールが上記ボタン５ａ、５ｂと同数設けられ、これらの配列間隔は前記ボタン５ａ、５ｂの配列と同一に形成される。なお、この取付け帯材７、７０はそれぞれ１本に連続されていなくてもよく、ボタン５ａ、５ｂの配列間隔に合わせて衿本体Ｅに個別に分断されて取付けられるものであってもよい。
【００２０】
図２は衿本体Ｅを外側から見た取付け帯材７と内衿カバー５の取付け状態を示すものであり、取付け帯材７の一方側縁７ａは衿本体Ｅの根元部に縫着線８に沿って糸で縫い付ける。また、取付け帯材７０も同様に衿本体Ｅの裏側に一方側縁７０ａを縫着線８に沿って縫い付ける（図３参照）。内衿カバー５はそのボタン５ａを取付け帯材７のボタンホール６ａへ嵌めることによって取付け帯材７の裏側へ着脱自在に取り付けられる。そして２つ折り中央線Ｏを境にして幅方向に２つ折りし、内衿カバー５の半分を衿本体Ｅの裏側へ回し、他方側縁に配設されたボタン５ｂを取付け帯材７０のボタンホール６ｂ（図３参照）へ嵌め入れ、取付け帯材７０の上にこの半分をかさねて両者を取り付ける。これにより内衿カバー５はＡ面を表側へ露出して衿本体Ｅの表裏両面を覆うように取付けられる。
【００２１】
図３のように取付けられた内衿カバー５はボタン５ａ、５ｂを取付け帯材７、７０のボタンホール６ａ、６ｂから外すことによって簡単に取り外すことができ、その裏面であるＢ面を表側にして取り付けるに当たっては、内衿カバー５のＢ面のボタン５ｂを取付け帯材７のボタンホール６ａに嵌め入れると共に、Ａ面のボタン５ａを取付け帯材７０のボタンホール６ｂへ嵌めることによって達成される。
【００２２】
なお、２つ折した内衿カバー５の内部には、ちりめん生地等の伸縮し易い生地の場合、薄い布地製やプラスチック製等の芯材を保形材として挿入させる方がよい。該芯材を挿入する方法は特に限定しないが、例えば二つ折りにして重合する前に、表地及び裏地のそれぞれに糊付けされている市販の芯材をアイロン等で少し加熱することにより結合することができる。
【００２３】
本発明の第２の実施例を図４〜図６に基づいて以下に説明する。図４は構成部品たる取付け帯材及び外衿カバーの組み付け前の平面図、図５は上記構成部品を衿本体に組み付けて外側から見た平面図、図６は内衿カバー及び外衿カバーを取付け帯材を介して取付けた状態を示す一部破断正面図である。
【００２４】
本実施例は取付け帯材７に替えて取付け帯材１０を使用するとともに、外衿カバー９を設けた点に特徴を有する。この取付け帯材１０には、複数のボタンホール６ａ（破線で示す７個：第２接合部材）を設けると共に、さらにこれと重ならない位置に第３接合部材としてボタンホール１０ｂを複数設ける（図中では実線で示す６個）。
【００２５】
外衿カバー９は、帯形状で長手方向の中央部分で両側縁を凹ませ、衿本体Ｅの幅変化と合致するように構成される。この外衿カバー９の表面（以下Ｃ面という）には一方側縁に沿って第４接合部材としてボタン９ｃが線上位置に配列されている。該外衿カバー９の裏面（以下Ｄ面という）には上記一方側縁に沿って第４接合部材としてボタン９ｄが線状位置に設けられている。このボタン９ｄとボタン９ｃは長手方向左右の中央線Ｃ１を境にして左右対称に設けられることが好ましく、これによって外衿カバー９は表裏面を替えるとき左右を入れ違えて取り付けることができる。
【００２６】
ボタン９ｃはボタン９ｄの配設位置の真裏に取付けることが好ましく、これによって他方側縁にはボタンなどの第４接合部材は配設されずに完全な自由端となり、２つ折りが行い易く、且つ内衿カバー５と着物の衿の間に支障なく収容できる。また一方側縁に沿ってボタン９ｃ，９ｄを設ける場合、左半分のボタン９ｃの配列間隔と右半分のボタン９ｄの配列間隔を中央線Ｃ１を境にして線対称位置に配設すれば、ボタンホール１０ｂは表裏面に交換時に兼用できる。なお右半分のボタン９ｃと左半分のボタン９ｄの配設位置関係も同様にしておくことが好ましい。
【００２７】
取付け帯材１０は、図５と図６に示すように、一方側縁１０ａを衿本体Ｅの表面側根元部分に縫着して固定する。そして図３の実施例と同様に内衿カバー５を取付け帯材１０と７０によって衿本体Ｅを覆うように取り付ける。図例においてはＡ面が露出するように取付けているが、Ｂ面を露出するように交換することもできる。なお、ボタン５ａはボタンホール６ａに嵌め入れ、取付け帯材１０は内衿カバー９の表側になるように取付けなければならない。そして取付け帯材１０のボタンホール１０ｂに外衿カバー９のボタン９ｄを嵌め入れ、衿本体Ｅのほぼ全長にわたって外衿カバー９を取り付ける。外衿カバー９の自由端側の側縁を内側へ折り返せば、Ｃ面のみが内衿カバー５と着物の衿（図示せず）の間に露出される。他方、この外衿カバー９の自由端側の側縁を外側へ折り替えせば、Ｄ面を
露出させることもできる。
【００２８】
ボタン９ｄを外してボタン９ｃをボタンホール１０ｂに嵌め入れれば、外衿カバー１０は裏返して取付けでき、その自由端側の側縁を内側に折り返すことにより、Ｄ面を露出させることができる（外側に折り返せばＣ面を露出）。
【００２９】
上記外衿カバー９は２つ折りして使用するものを例示したが、これに替えて図６の鎖線に示すように、予め幅が外衿カバーの約２分の１に縫製されたものを使用することもできる。すなわち半衿として市販されている外衿カバー９Ａの片面（または両面）に、片側側縁に沿って第４接合部材として複数のボタン９ａを線上位置に配設し、取付け帯材１０に対して着脱自在に取付けてもよい。ただし両面にボタンを配設する場合には、表裏面の色や柄は異なるように構成しておくことが望まれる。図５に示すように外衿カバー９，９Ａは内衿カバー５より長く形成しておくことが好ましい。また上記例においては内衿カバー５と併用する例を示したが、外衿カバーを単独で使用したものであってもよい。
【００３０】
本発明の第３の実施例を図７に基づいて以下に説明する。図７は一枚の布によって連続されたカバー取付け帯材１１を示す一部破断正面図である。この取付け部材１１は少なくとも１枚の布を２つ折りして衿本体Ｅの表裏面を覆うように取り付ける。そして衿本体Ｅの裏面側には第２接合部材としてボタンホール１２ｂを内衿カバーのボタンの配列に合わせて線上位置に配列する。この裏面側は縫着線８ｂに沿って衿本体Ｅに取付けられ、側縁は自由端として開放されてボタンホール１２ｂを設けた部分は自由端となり、内衿カバーのボタンの嵌め入れまたは外しが容易に行えるようにする。
【００３１】
２つ折した外衿カバー９の場合にも、ちりめん生地等の伸縮し易い生地の場合は、薄い布地製やプラスチック製等の芯材を、該外衿カバー９の内部に保形材として使用する方がよい。該芯材を挿入する方法は特に限定しないが、例えば二つ折りにして重合する前に、表地及び裏地のそれぞれに糊付けされている市販の芯材をアイロン等で少し加熱することにより結合することができる。
【００３２】
この取付け帯材１１における衿本体の表側は縫着線８ａおよび８ｃに沿って衿本体Ｅに取付けられ、また縫着線８ｃとボタンホール１２ａ，１２ｃを設けた取付け帯部分１１ｃの間には開口Ｋが形成され、この開口Ｋに内衿カバーの一方側縁が収容されると共に、表側に出たこの取付け帯部分１１ｃのボタンホール１２ｃに外衿カバーのボタンが嵌め入れまたは外しができる構成とする。
【００３３】
すなわち、襦袢の衿本体Ｅにあらかじめ上記カバー取付け帯材１１を縫製しておくことにより、図１に示す内衿カバー５および／または図４に示す外衿カバー９をボタンおよびボタンホールの組合せ等によって着脱自在に取り付けることができる。内衿カバー５はＡ面またはＢ面のいずれかを選択的に表側に配置でき、外衿カバー９もＣ面またはＤ面のいずれかを選択的に表側に配置できる。内衿カバー５と外衿カバー９はボタンとボタンホールの嵌めまたは外しによって取付けまたは取り外しは短時間で簡単に行える。
【００３４】
本発明の実施例の襦袢の衿構造によれば、内衿カバーは衿本体に対して簡単な作業で取り付けまたは取り外しでき、多彩な色や柄を有する内衿カバーの中から着物の色や柄に合わせ、任意に選定して使用できる。また、内衿カバーを衿本体に縫い付ける必要がないので、短時間で内衿カバーの交換が行える。
【００３５】
【発明の効果】
請求項１によれば、従来から市販されている半衿に第４接合部材（ボタンなど）の取付けを行うだけで、種々の柄や色の外衿カバーとして採用でき、その取付けの有無の選択はもとより、異なる色や柄の外衿カバーを任意に交換して使用できる。また外衿カバーの交換に時間や手間のかかる縫い付けなどの作業を必要としない。
【００３６】
請求項２によれば、従来無かった表裏面のいずれかを選択的に使用できる外衿カバーが提供でき、しかも上記請求項１のものと同様に簡単な着脱ができる。
【００３７】
請求項３によれば、入手が簡単で加工が容易なボタンおよびボタンホールが使用でき、内衿カバーおよび外衿カバーを着脱自在に取り付けるのに追加する部材は、一対の取付け帯材を追加するだけで良く、この取付け帯材を一度縫着してしまえば、後の縫製作業は一切必要ない。
【００３８】
請求項４によれば、一枚の布で連続した取付け帯材をあらかじめ長襦袢の衿本体に位置決めして取付けておくことができ、工房での加工性が高く、消費者が購買後に縫製作業を行う必要をなくしてしまうことができる。
【図面の簡単な説明】
【図１】  本発明の第１の実施例における構成部品たる内衿カバー及び取付け帯材を展開した組み付け前の平面図である。
【図２】  図１の構成部品を衿本体に組み付けて展開した状態の平面図である。
【図３】  内衿カバー及び取付け帯材を襦袢の衿本体に取付けた状態の一部破断正面図である。
【図４】  本発明の第２の実施例における構成部品たる取付け帯材及び外衿カバーの組み付け前の平面図である。
【図５】  図４の構成部品を衿本体に組み付けて外側から見た平面図である。
【図６】  内衿カバー及び外衿カバーを取付け帯材を介して取付けた状態を示す一部破断正面図である。
【図７】  本発明の第３の実施例の一部破断正面図である。
【図８】  従来例の襦袢の正面図である。
【図９】  図８の襦袢の衿本体を詳述した一部破断説明図である。
【符号の説明】
１          見頃
５          内衿カバー
５ａ、５ｂ  第１接合部材（ボタン）
６ａ、６ｂ  第２接合部材（ボタンホール）
７、１０、７０          取付け帯材
９          外衿カバー
１０ｂ      第３接合部材（ボタンホール）
９ｃ、９ｄ  第４接合部材（ボタン）
１１        カバー取付け部材
１２ａ、１２ｂ、１２ｃ  第２接合部材（ボタンホール）
Ｊ            襦袢
Ｅ            衿本体
【図１】
0003812850.tif 000002
【図２】
0003812850.tif 000003
【図３】
0003812850.tif 000004
【図４】
0003812850.tif 000005
【図５】
0003812850.tif 000006
【図６】
0003812850.tif 000007
【図７】
0003812850.tif 000008
【図８】
0003812850.tif 000009
【図９】
0003812850.tif 000010